【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
カビを制御するためのシステムであって、
前記システムは、
紫外光源セットと、
植物の少なくとも一つの植物表面の植物データを取得するセンサーセットと、
前記紫外光源セット及び前記センサーセットに動作可能に結合された制御システムと、を含み、
前記紫外光源セットは、約２６０ナノメートルから約３１０ナノメートルまでの紫外領域で紫外線を照射するように構成され、
前記制御システムは、前記センサーセットから前記植物データを取得し、前記植物データに基づいて、前記少なくとも一つの植物表面にカビが存在するかどうかを判定するように構成され、
前記制御システムは、前記植物データを、カビを示す植物データと比較することによって前記カビの存在を判定し、
前記カビの存在の判定に応答して、前記制御システムは、前記カビを有する前記植物の位置を特定し、前記植物の特定された前記位置に存在する前記カビの密度を判定し、
前記制御システムは、前記カビの存在の判定に応答して、特定された前記位置で前記植物の少なくとも一部を照射するために前記紫外光源セットを選択的に動作するように構成され、
前記制御システムは、前記カビの前記位置及び前記密度の関数として、前記紫外光源セットから照射される前記紫外線の属性を指定するシステム。
【請求項２】
前記センサーセットは、蛍光センサー、光学センサー、赤外センサー、テラヘルツセンサー、紫外センサー、又はマイクロ波センサーのうちの少なくとも一つを含む請求項１に記載のシステム。
【請求項３】
さらに、環境装置セットを含み、
前記制御システムは、さらに、前記植物の成長環境に影響を与えるために前記環境装置セットを選択的に動作するように構成される請求項１に記載のシステム。
【請求項４】
前記環境装置セットは、可視光源又は赤外光源のうちの少なくとも一つを含む請求項３に記載のシステム。
【請求項５】
前記環境装置セットは、加湿器、除湿器、ガス源、又は化学処理源のうちの少なくとも一つを含む請求項３に記載のシステム。
【請求項６】
前記制御システムは、前記センサーセットによって取得されたフィードバックデータに応答して、前記紫外光源セットによって照射される前記紫外線の前記属性の少なくとも一つを調整する請求項１に記載のシステム。
【請求項７】
前記属性は、放射強度、時間、スペクトルパワー分布、方向、及び極性を含む請求項６に記載のシステム。
【請求項８】
前記制御システムは、さらに、前記植物の成熟度に基づいて、前記紫外線の前記属性の少なくとも一つを調整する請求項６に記載のシステム。
【請求項９】
前記制御システムは、前記植物が成長するにつれて、より短波長の紫外線を照射するように、前記紫外線の波長を調整する請求項８に記載のシステム。
【請求項１０】
さらに、前記センサーセット又は前記紫外光源セットのうちの少なくとも一つの動作中に、前記植物の少なくとも一部の位置に影響を与えるように風を生成する、少なくとも一つの空気源を含む請求項１に記載のシステム。
【請求項１１】
複数の植物と、
前記複数の植物の少なくとも一つのカビを制御するシステムと、を含む栽培地であって、
前記システムは、
紫外光源セットと、
前記複数の植物の少なくとも一つにおける少なくとも一つの植物表面の植物データを取得するセンサーセットと、
前記紫外光源セット及び前記センサーセットに動作可能に結合された制御システムと、を含み、
前記紫外光源セットは、約２６０ナノメートルから約２９０ナノメートルまでの紫外領域で紫外線を照射するように構成され、
前記センサーセット及び前記紫外光源セットは、葉、茎、及び根を含む前記複数の植物の各々の構造的部位の動作範囲を提供するように構成された単一のユニットに統合され、
前記制御システムは、前記センサーセットから前記植物データを取得し、前記植物データに基づいて、前記少なくとも一つの植物表面にカビが存在するかどうかを判定するように構成され、
前記制御システムは、前記植物データを、カビを示す植物データと比較することによって前記カビの存在を判定し、
前記カビの存在の判定に応答して、前記制御システムは、前記カビを有する前記複数の植物の前記少なくとも一つにおける前記構造的部位の位置を特定し、特定された前記位置に存在する前記カビの密度を判定し、
前記制御システムは、前記カビの存在の判定に応答して、前記植物の特定された前記位置で前記複数の植物の前記少なくとも一つにおける少なくとも一部を照射するために前記紫外光源セットを選択的に動作するように構成され、
前記制御システムは、前記カビの前記位置及び前記密度の関数として、前記紫外光源セットから照射される前記紫外線の属性を指定する栽培地。
【請求項１２】
前記栽培地は、温室内にある請求項１１に記載の栽培地。
【請求項１３】
さらに、複数の自由度を有し、前記複数の植物の周りを移動することができる複数の移動可能な植物治療コンポーネントを含み、
各植物治療コンポーネントは、
前記紫外光源セットのサブセットと、
前記センサーセットのサブセットと、
前記紫外光源セットの前記サブセット及び前記センサーセットの前記サブセットを制御し、前記制御システムと通信する車載制御装置と、を含み、
前記制御システムは、前記複数の植物に対して、前記紫外光源セットの前記サブセット及び前記センサーセットの前記サブセットを動作するために、前記車載制御装置に治療指示を提供する請求項１１に記載の栽培地。
【請求項１４】
前記複数の移動可能な植物治療コンポーネントの少なくとも一つは、前記栽培地の複数の領域のいずれかに再配置できる請求項１３に記載の栽培地。
【請求項１５】
前記複数の移動可能な植物治療コンポーネントの少なくとも一つは、さらに、環境装置セットを含み、
前記車載制御装置は、さらに、前記複数の植物の前記少なくとも一つの成長環境に影響を与えるために前記環境装置セットを選択的に動作するように構成される請求項１３に記載の栽培地。
【請求項１６】
さらに、前記制御システムに動作可能に結合され、前記複数の植物の環境条件を制御するように構成された環境制御コンポーネントセットを含み、
前記制御システムは、前記複数の移動可能な植物治療コンポーネントの動作と連動するように、前記環境制御コンポーネントセットの動作を調整する請求項１３に記載の栽培地。
【請求項１７】
カビを制御するためのシステムであって、
前記システムは、
複数の植物を有する栽培地の植物成長を管理する制御システムと、
前記制御システムに動作可能に結合され、前記栽培地の各領域内を移動して、前記領域の前記植物の各々に対して治療を指示する複数の移動可能な植物治療コンポーネントと、を含み、
前記管理は、前記栽培地の前記領域の植物のカビの治療を管理することを含み、
前記制御システムは、前記領域の少なくとも一つの植物がカビを有するとの判定に応答して、前記栽培地の前記領域にカビの治療を指示し、
前記制御システムは、以前にカビの治療を受けた前記栽培地の各領域の前記カビを定期的に評価し、
前記制御システムは、前記領域の以前に受けた前記カビの治療の有効性を判定し、
以前に受けた前記カビの治療の前記有効性に基づいて、前記領域を治療するカビ治療プロトコルを指定し、
以前に受けた前記カビの治療の前記有効性には、前記領域の前記植物のまだカビが存在している範囲を含み、
前記制御システムは、指定された前記カビ治療プロトコルに従って、さらに、カビの治療を指示し、
各植物治療コンポーネントは、
前記栽培地の前記領域の少なくとも一つにおける前記植物に対してカビの治療を実行するように構成された紫外光源セットと、
前記栽培地の前記領域の少なくとも一つにおける前記植物の少なくとも一つの植物表面の植物データを取得するセンサーセットと、
前記紫外光源セット及び前記センサーセットの動作を制御し、前記制御システムと通信する車載制御装置と、を含み、
前記紫外光源セットは、約２６０ナノメートルから約３１０ナノメートルまでの紫外領域で紫外線を照射するように構成され、
前記車載制御装置は、前記植物データを処理して、前記栽培地の前記領域の少なくとも一つにおける少なくとも一つの植物のカビの存在を判定し、前記カビの存在の判定結果を前記制御システムに報告し、
前記制御システムは、前記紫外光源セットを使用して、カビを有する少なくとも一つの植物を有する前記栽培地の前記領域の少なくとも一つにおいて存在すると判定されたカビを治療するために、前記車載制御装置に治療指示を提供するシステム。
【請求項１８】
さらに、前記制御システムに選択的に結合され、前記栽培地の前記領域の環境条件を制御するように構成された環境制御コンポーネントセットを含み、
前記制御システムは、前記環境制御コンポーネントセットを管理して、前記栽培地の前記領域の前記植物の成長環境の帰属セットに影響を与え、
前記制御システムは、前記複数の移動可能な植物治療コンポーネントの動作と連動するように、前記環境制御コンポーネントセットの動作を調整する請求項１７に記載のシステム。
【請求項１９】
さらに、植物成長コンポーネントセットを含み、
植物成長コンポーネントは、植物の成長環境に影響を与えて成長を促すＩ／Ｏ装置セットを含み、
前記制御システムは、さらに、前記植物成長コンポーネントセットの動作を管理する請求項１７に記載のシステム。
【請求項２０】
前記制御システムは、前記カビの治療後に、前記栽培地の前記領域の少なくとも一つにおける少なくとも一つの植物に対して、前記植物成長コンポーネントセットの少なくとも一つの動作を指示する請求項１９のシステム。